(57)【要約】      （修正有）【課題】構成が簡単で使用者の負荷が軽減可能な汎用性の高い新規足部用弾性着衣の装着補助具を提供する【解決手段】使用者が足部用弾性着衣を着用する際に前記側部用弾性着衣の着用を補助するための装着補助具１は、一方の膝側からつま先側を経て他方のつま先側に亘るＵ字型に形成されたベース部材１０と、ベース部材１０上に形成された膝側とつま先側に開口部１１、１２を有するトンネル状の案内部１３と、ベース部材１０の両端に設けられた把持部１４Ａ、１４Ｂとを備え、把持部１４Ａ、１４Ｂを操作することによって膝側の開口部１１または膝側の開口部１１とその周辺の案内部が広がるように構成されている。【選択図】図１Ａ
2014217417.tif 000002
【特許請求の範囲】
【請求項１】
使用者が足部用弾性着衣を着用する際に前記側部用弾性着衣の着用を補助するための足部用弾性着衣の装着補助具であって、
一方の膝側からつま先側を経て他方のつま先側に亘るＵ字型に形成されたベース部材と、前記ベース部材上に形成された膝側とつま先側に開口部を有するトンネル状の案内部と、前記ベース部材の両端に設けられた把持部とを備え、
前記把持部を操作することによって前記膝側の開口部または前記膝側の開口部とその周辺の案内部が広がるように構成されていることを特徴とする足部用弾性着衣の装着補助具。
【請求項２】
前記足部用弾性着衣の装着補助具は、ワイヤまたはプラスチック被覆されたワイヤより構成されていることを特徴とする請求項１に記載の足部用弾性着衣の装着補助具。
【請求項３】
前記足部用弾性着衣が靴下、医療用靴下、タイツ、サポータからなる群から選択されることを特徴とする請求項１または請求項２に記載の足部用弾性着衣の装着補助具。
【請求項４】
前記膝側の開口部が前記ベース部材の把持部側上に固着された弾性を有する第１のアーチ状部材により構成され、前記つま先側開口部が前記ベース部材の先端側に固着された第２のアーチ状部材により構成され、前記第１のアーチ状部材と、前記第２のアーチ状部材とはワイヤ状部材により接続されて案内部を形成し、前記両把持部を幅方向外側に引っ張ることにより前記第１のアーチ状部材が幅方向に広がることを特徴とする請求項１から請求項３のいずれか１項に記載の足部用弾性着衣の装着補助具。
【請求項５】
前記ベース部材の長手軸方向には、前記膝側開口部およびつま先側開口部を有する案内部を形成する１対または複数対の案内部構成部材が上下方向に回動自在に設けられ、前記両把持部には前記案内部構成部材を回動させ前記案内部を形成するための開閉レバーが設けられていることを特徴とする請求項１から請求項３のいずれか１項に記載の足部用弾性着衣の装着補助具。
【発明の詳細な説明】
【技術分野】
【０００１】
本発明は、足部用弾性着衣の装着補助具に関する。より詳しく述べると、医療用の靴下、ストッキング、サポータ等の弾性着衣を使用者の足部に着用するのを補助するための足部用弾性着衣の装着補助具に関する。
【背景技術】
【０００２】
高齢者、腰や膝に障害があって、足先まで手が届きにくい人、妊婦、肥満の人等にとっては、腰を深く曲げた姿勢で靴下を履くことは非常に困難で苦痛を伴う場合がある。そのため特許文献１では、腰を深く曲げることができない人であっても、独りで楽に靴下を履くことができる靴下装着補助具として、図４および図５に示す通り、靴下装着者の足１１０の足底に接する底板部１０１と、足の踵部及び甲部を左右両側から被うように底板部１０１の後端部両側縁から一体に立ち上がる横断面略ハの字状の左右一対の側板部２とからなる補助具本体１０３、及びこの補助具本体１０３の側板部１０２の後端部に取り付けられたループ状の操操作紐１０４によって構成され、補助具本体１０３の左右両側板部１０２は底板部１０１の上に折り重なるように弾性変形可能である靴下装着用補助具が開示されている。
【０００３】
また、特許文献２によると、医療分野においては、下肢の静脈瘤、静脈血栓症といった静脈還流障害やリンパ浮腫等の疾患の予防、あるいは、その疾患の外科的手術や薬物療法等の治療と併用して医療用ストッキングが使用されている。医療用ストッキングは、通常のストッキングと比較して、下肢の外側から強く圧迫するよう作られており、静脈還流を効果的に促進させるため、足首部から大腿部にかけて段階的に圧迫力が弱くなるよう設計されており、腕力の弱い女性や高齢者、あるいは、関節障害のある患者等にとっては、医療用ストッキングの着用の際、その口部を両手で拡げて下肢に着用することが非常に困難であり、毎日の着用が苦痛となっていると記載されている。
【０００４】
そのため、特許文献２には、特に、下肢の静脈還流障害やリンパ浮腫等の疾患の予防または治療に使用する、弾力性を有する医療用の靴下、ストッキング及びサポータ等の弾性着衣を身体へ着用する動作を補助する着用補助具として、図６および図７に示す通り、基端側から末端側に向けて次第に径を小さくしたテーパ形状の中空円筒体（スリーブ）をその中心軸（図示せず）に対して対称に二分割して得られた一対の分割片（半円筒体）２００ａ、２００ｂを有する。分割片２００ａ、２００ｂは、それらの周方向分割端同士を互いに突き合わせた状態で組み合わせることができるように、連結部材２１０ａ、２１０ｂを有し、また、補助具２００（分割片２００ａ、２００ｂ）の下端部Ｐには鍔部２０２が形成されており、この鍔部２０２が弾性着衣を該補助具２００に装着する際に、弾性着衣が下端部Ｐ側から脱落することを防止し、さらに、鍔部２０２の裏面側には曲面加工が施されている弾性着衣の着用補助具が開示されている。
【先行技術文献】
【特許文献】
【０００５】
【特許文献１】実用新案登録第３１４９３９１号公報
【特許文献２】特開２０１１−４８７５号公報
【発明の概要】
【発明が解決しようとする課題】
【０００６】
しかしながら、特許文献１の補助具は、紐を用いて片手で操作するので、動作が大きくなるという欠点を有している。また、補助具本体が足と同等の形状を有しているので、靴下装着後、補助具を外す際に使用者に負担がかかるとともに、特許文献２に記載のような医療用靴下等の高い弾性の靴下を補助具に装着するのは困難である。また、使用者の足のサイズに応じて補助具を用意しなければならない。
【０００７】
また、特許文献２に記載の補助具は、実質的に円筒径の形状をしており、靴下等を装着して補助具を足から外すまでの動作の際に補助具の内部に足（つま先から大腿部周辺まで）全体を覆うこととなる。そのため、この補助具を用いて医療用靴下等を装着する間、使用者の足を圧迫していることとなる。また、この補助具に医療用靴下等を装着する際には、特殊な靴下装着装置を用いる必要がある（特許文献２図２から図５参照）。
【０００８】
したがって、本発明の課題は、一般用の靴下から医療用の靴下等の各種足部用弾性着衣を一つの装置で対応可能な使用者の足部に着用するのを補助するための足部用弾性着衣の装着補助具を提供することである。
【０００９】
より一般的には、構成が簡単で使用者の負荷が軽減可能な汎用性の高い新規足部用弾性着衣の装着補助具を提供することである。
【００１０】
本発明の別の課題は、
【課題を解決するための手段】
【００１１】
本発明は、上記課題に鑑みて創作されたものであり、使用者が足部用弾性着衣を着用する際に前記側部用弾性着衣の着用を補助するための本発明の足部用弾性着衣の装着補助具は、一方の膝側からつま先側を経て他方のつま先側に亘るＵ字型に形成されたベース部材と、前記ベース部材上に形成された膝側とつま先側に開口部を有するトンネル状の案内部と、前記ベース部材の両端に設けられた把持部とを備え、前記把持部を操作することによって前記膝側の開口部または前記膝側の開口部とその周辺の案内部が広がるように構成されている。
【００１２】
本発明の足部用弾性着衣の装着補助具は、ワイヤまたはプラスチック被覆されたワイヤより構成することが可能である。
【００１３】
本発明の足部用弾性着衣の装着補助具において、対象となる足部用弾性着衣として、靴下、医療用靴下、タイツおよびサポータが挙げられる。
【００１４】
本発明の特定の好ましい実施形態（第１実施形態）において、前記膝側の開口部が前記ベース部材の把持部側上に固着された弾性を有する第１のアーチ状部材により構成され、前記つま先側開口部が前記ベース部材の先端側に固着された第２のアーチ状部材により構成され、前記第１のアーチ状部材と、前記第２のアーチ状部材とはワイヤ状部材により接続されて案内部を形成し、前記両把持部を幅方向外側に引っ張ることにより前記第１のアーチ状部材が幅方向に広がる構成を有する足部用弾性着衣の装着補助具が提供される。
【００１５】
本発明の別の好ましい実施形態（第２実施形態）において、前記ベース部材の長手軸方向には、前記膝側開口部およびつま先側開口部を有する案内部を形成する１対または複数対の案内部構成部材が上下方向に回動自在に設けられ、前記両把持部には前記案内部構成部材を回動させ前記案内部を形成するための開閉レバーが設けられている足部用弾性着衣の装着補助具が提供される。
【発明の効果】
【００１６】
本発明の足部用弾性着衣の装着補助具は、一方の膝側からつま先側を経て他方のつま先側に亘るＵ字型に形成されたベース部材と、前記ベース部材上に形成された膝側とつま先側に開口部を有するトンネル状の案内部と、前記ベース部材の両端に設けられた把持部とを備え、前記把持部を操作することによって前記膝側の開口部または前記膝側の開口部とその周辺の案内部が広がるように構成されているので、非常に簡単な構成で靴下等の足部用弾性着衣を容易に装着可能となる。また、案内部が実質的に足の片側（脛側）のみに設けられているので、足全体を覆うことなく装着動作を行うことが可能であるとともに、使用者の足の形状を選ばず適用可能である。また、案内部が実質的に足の片側（脛側）のみに設けられているので、医療用靴下等の高弾性の側部用弾性着衣を本発明の補助具に容易に装着可能である。
【００１７】
また、本発明の第１実施形態に係る足部用弾性着衣の装着補助具は、膝側の開口部がベース部材の把持部側上に固着された弾性を有する第１のアーチ状部材により構成され、つま先側開口部がベース部材の先端側に固着された第２のアーチ状部材により構成され、第１のアーチ状部材と、前記第２のアーチ状部材とはワイヤ状部材により接続されて案内部を形成した構成を有しており、両把持部を幅方向外側に引っ張ることにより前記第１のアーチ状部材が幅方向に広がるように構成されているので、両把持部を幅方向外側に引っ張ることにより使用者の足の形状に応じて開口部を広げながら足部用弾性着衣の装着動作を行うことが可能となる。したがって、使用者の足に負担をかけることなく容易に足部用弾性着衣を装着することが可能となる。
【００１８】
また、本発明の第２実施形態に係る足部用弾性着衣の装着補助具は、ベース部材の長手軸方向には、膝側開口部およびつま先側開口部を有する案内部を形成する１対または複数対の案内部構成部材が上下方向に回動自在に設けられ、両把持部には前記案内部構成部材を回動させ前記案内部を形成するための開閉レバーが設けられている。そのため、不使用時には折りたたんで保管することが可能であり、足部着衣を補助具に装着する際も、開口している面積が小さいので、例えば高弾性の医療用の靴下等の足部着衣を楽に第２実施形態に係る補助具に装着可能である。さらに、例えば高弾性の医療用の靴下等の足部着衣を装着した第２実施形態に係る補助具を使用者の足に挿入して装着補助を行う際に、両手で把持部と開閉レバーを握る動作により補助具にトンネル状の空間をつくることができそのまま足部着衣を容易に装着することが可能である。
【図面の簡単な説明】
【００１９】
【図１Ａ】本発明の第１実施形態に係る足部用弾性着衣の装着補助具の斜視図である。
【図１Ｂ】図１Ａに示す足部用弾性着衣の装着補助具の裏面側からみた斜視図である。
【図１Ｃ】図１Ａに示す足部用弾性着衣の装着補助具のベース部材を説明するための図面である。
【図２Ａ】図１に示す足部用弾性着衣の装着補助具を用いてに足部用弾性着衣を装着する様子を示す図面であり、装着前を示しめしている。
【図２Ｂ】図１に示す足部用弾性着衣の装着補助具を用いてに足部用弾性着衣を装着する様子を示す図面であり、装着後を示している。
【図３】本発明の第２実施形態に係る足部用弾性着衣の装着補助具の平面図である。
【図４】従来の足部用弾性着衣の装着補助具を示す図面である。
【図５】従来の足部用弾性着衣の装着補助具を示す図面である。
【図６】従来の別の足部用弾性着衣の装着補助具を示す図面である。
【図７】従来の別の足部用弾性着衣の装着補助具を示す図面である。
【発明を実施するための形態】
【００２０】
（第１実施形態）
以下、本発明の実施の形態を添付図面に基づいて説明する。
【００２１】
まず、図１から図２に基づいて、本発明の第１実施形態に係る足部用弾性着衣の装着補助具（以下、第１の補助具１と言う）を説明する。
【００２２】
なお、本発明に言う足部用弾性着衣とは、足部に装着する靴下、タイツ、サポータ等に加え、高い弾性力を有する医療用靴下、サポータ等を含むものである（以下、靴下等をいう）。また、本発明の使用対象者は、特許文献１に記載のような高齢者、腰や膝に障害があって、足先まで手が届きにくい人、妊婦、肥満の人等に加えて、特許文献２に記載のような医療用靴下を装着しようとする人等であるがこれに限定されるものではない。
【００２３】
図１Ａに示す通り、第１の補助具１は、一方の膝側からつま先側を経て他方のつま先側に亘るＵ字型に形成されたベース部材１０と、ベース部材１０上に形成された膝側とつま先側に開口部を有するトンネル状の案内部１３と、ベース部材１０の両端に設けられた把持部１４Ａと１４Ｂとを備えている。
【００２４】
そして、第１の補助具１において、案内部１３には、端点１１Ａ、１１Ｂによりベース部材１０に固着された第１のアーチ部１１Ｃに膝側開口部１１が形成されており、そして端点１２Ａ、１２Ｂによりベース部材１０に固着された第２のアーチ部１２Ｃによりつま先側開口部１２が形成されている。
【００２５】
これらの各部材は、形状を維持できるワイヤ等の棒状材料で構成されているが、本実施形態においては、金属性のワイヤ等所定の弾性を有する材料で構成されている。このようなワイヤは、鉄、ステンレス等の金属製であることができ、抗菌塗料、着色塗料等の塗料により被覆されていてもよく、あるいは塩化ビニル等のプラスチック皮膜で被覆されていてもよい。
【００２６】
さらに、図１Ｂに示す通り、第１の補助具１の裏面側は、開口状態となっていて、案内部１３は存在しない。換言すると、第１の補助具１は、足の脛側に沿って装着を補助するものであり太もも側には補助具は介在しない。
【００２７】
また、図１Ｃに示す通り、第１の補助具１は、Ｕ字型のベース部材の両方の端部に左右両手で把持するための把持部１４Ａ、１４Ｂを備えており、この把持部１４Ａ、１４Ｂを両手で幅方向に引っ張ることにより、端点１１Ａ、１１Ｂでベース部材と接続されそして弾性部材により形成された第１のアーチ部１１Ｃ、すなわち膝側開口部１１が幅方向に広げられる（同時に、案内部１３の膝側開口部１１の近傍も広げられる）。また、案内部１３全体が弾性を有する部材で構成されているので、後述する装着動作時に、この案内部１３は足の形状（脛側部分）に柔軟に追随するので、装着時の使用者への負荷が軽減される。
【００２８】
さらに、第１の補助具１の案内部１３は、足の脛側に沿って移動させる構成であるので、例えば足の太もも側に沿って移動させる特許文献１のように、痛みが感じやすい脛側の筋肉、例えば前脛骨筋、長指伸筋に負担をかけることはない。
（動作）
次に、図２Ａ、２Ｂに基づいて、第１の補助具１の装着動作を説明する。
【００２９】
第１の補助具１は、使用者の身体（足部）に靴下Ｓ等を装着するにあたって、まず第１の補助具１に靴下等を装着させる（図示せず）。
【００３０】
第１の補助具１への靴下Ｓ等の装着は、つま先側から膝側へと靴下Ｓ等を覆い被せるように実施する。
【００３１】
第１の補助具１の太さ（断面積）を決める案内部１３の断面積は、太もも側が削除されているので従来技術の補助具と比較して小面積であり、なおかつ幅方向に柔軟性を有しているので、靴下Ｓ等を容易に装着することが可能である。
【００３２】
このように靴下Ｓ等を第１の補助具１に装着した後に、図２Ａに示す通り、第１の補助具１に使用者の足を膝側開口部１１から案内部１３を介してつま先側開口部を貫通して挿入する（図２Ａ参照）。
【００３３】
ついで、把持部１４Ａ、１４Ｂまたはその近傍を両手で握った状態で、膝側に靴下Ｓ等を装着した第１の補助具１を引っ張ると、靴下Ｓ等が使用者の足に装着された状態となる（図２Ｂ参照）。
【００３４】
その後、第１の補助具１をさらに膝側に引っ張ることにより靴下Ｓ等が使用者の足に装着された状態で第１の補助具１が完全に露出する。このような状態で、第１の補助具１をつま先側に戻すことにより、第１の補助具１を足から外すことができる。
【００３５】
以上説明した通り、本発明に係る第１の補助具１は、膝側の開口部がベース部材の把持部側上に固着された弾性を有する第１のアーチ状部材により構成され、つま先側開口部がベース部材の先端側に固着された第２のアーチ状部材により構成され、第１のアーチ状部材と、前記第２のアーチ状部材とはワイヤ状部材により接続されて案内部を形成した構成を有しており、両把持部を幅方向外側に引っ張ることにより前記第１のアーチ状部材が幅方向に広がるように構成されているので、両把持部を幅方向外側に引っ張ることにより使用者の足の形状に応じて開口部を広げながら足部用弾性着衣の装着動作を行うことが可能となる。したがって、使用者の足に負担をかけることなく容易に足部用弾性着衣を装着することが可能となる。さらに、第１の補助具１の案内部１３は、足の脛側に沿って移動させる構成であるので、例えば足の太もも側に沿って移動させる特許文献１のように、痛みが感じやすい脛側の筋肉、例えば前脛骨筋、長指伸筋に負担をかけることはない。
（第２実施形態）
次に、図３に基づいて、本発明の第２実施形態に係る足部用弾性着衣の装着補助具（以下、第２の補助具２という）を説明する。
【００３６】
第２の補助具２は、第１の補助具１と同様に一方の膝側からつま先側を経て他方のつま先側に亘るＵ字型に形成されたベース部材２０と、ベース部材１０上に形成された膝側とつま先側に開口部を有するトンネル状の案内部２３と、ベース部材１０の両端に設けられた把持部２４Ａ、２４Ｂ、２４Ｃ、２４Ｄとを備えている。
【００３７】
そして、図３に示す通り、第２の補助具２は、膝側開口部およびつま先側開口部を有する案内部２３を形成する１対または複数対の案内部構成部材２４Ａ、２４Ｂ、２４Ｃ、２４Ｄが上下方向に回動自在に設けられている点で第１の補助具１と相違する。
【００３８】
案内部23は、図３に示す通り、案内部構成部材２３Ａ、２３Cおよび、案内部構成部材２４B、２４Ｄと各々上方向に回動させる把持部（開閉レバー）２４Ａ’、２４Ｂ’と接続され、左右両手で把持部２４Ａ、２４Ａ’および把持部２４B、２４B’を把持した状態で、各々把持部２４Ａ’を把持部２４Ａ側へ把持部２４B’を把持部２BＡ側へ押す状態、すなわち握った状態にすることによって、各々案内部構成部材２３Ａ、２３Cおよび、案内部構成部材２４B、２４Ｄが隆起して案内部２３を形成する構成を有している。
【００３９】
なお、図３に示す実施形態では、膝側の開口部である第１のアーチ部２１は、独立して設けられ、つま先側の開口部である第２のアーチ部２２は、案内構成部材２３C,２３Dに係止され、案内構成部材２３C,２３Dの隆起に伴って隆起するように構成されている。しかしながら、第２の補助具２はこのような構成に限定されるものではない。
【００４０】
すなわち、第２の補助具２は、開閉レバーである把持部２４Ａ’、２４Ｂ’によりベース部材の両側側面に設けられた案内構成部材が隆起してトンネル状の案内部を構成するものであれば特に限定されるものではない。また、案内部構成部材２３Ａ、２３Cおよび、案内部構成部材２４B、２４Ｄは所定の位置で係合されても係合されなくともよい。
【００４１】
このように構成した第２の補助具２は、開閉レバーの操作、すなわち、左右両手で把持部２４Ａ、２４Ａ’および把持部２４B、２４B’を把持した状態で、各々把持部２４Ａ’を把持部２４Ａ側へ把持部２４B’を把持部２BＡ側へ押す動作により案内部または開口部と案内部を形成することができるので、足の形状に沿って開口部および案内部の断面積を変化させることが可能である。
【００４２】
したがって、第１の補助具１と同様に、第２の補助具２は、使用者の足に負担をかけることなく容易に足部用弾性着衣を装着することが可能となる。さらに、第２の補助具２の案内部２３は、足の脛側に沿って移動させる構成であるので、例えば足の太もも側に沿って移動させる特許文献１のように、痛みが感じやすい脛側の筋肉、例えば前脛骨筋、長指伸筋に負担をかけることはない。
【００４３】
なお、第２の補助具２を用いた靴下S等の装着方法は、第１の補助具１と同様であるのでその詳細な説明を省略する。
【００４４】
以上説明した通り、本発明に係る第２の補助具２は、ベース部材の長手軸方向には、膝側開口部およびつま先側開口部を有する案内部を形成する１対または複数対の案内部構成部材が上下方向に回動自在に設けられ、両把持部には前記案内部構成部材を回動させ前記案内部を形成するための開閉レバーが設けられている。そのため、不使用時には折りたたんで保管することが可能であり、足部着衣を補助具に装着する際も、開口している面積が小さいので、例えば高弾性の医療用の靴下等の足部着衣を楽に第２実施形態に係る補助具に装着可能である。さらに、例えば高弾性の医療用の靴下等の足部着衣を装着した第２実施形態に係る補助具を使用者の足に挿入して装着補助を行う際に、両手で把持部と開閉レバーを握る動作により補助具にトンネル状の空間をつくることができそのまま足部着衣を容易に装着することが可能である。
【産業上の利用可能性】
【００４５】
本発明に係る第１の補助具１は、膝側の開口部がベース部材の把持部側上に固着された弾性を有する第１のアーチ状部材により構成され、つま先側開口部がベース部材の先端側に固着された第２のアーチ状部材により構成され、第１のアーチ状部材と、前記第２のアーチ状部材とはワイヤ状部材により接続されて案内部を形成した構成を有しており、両把持部を幅方向外側に引っ張ることにより前記第１のアーチ状部材が幅方向に広がるように構成されているので、両把持部を幅方向外側に引っ張ることにより使用者の足の形状に応じて開口部を広げながら足部用弾性着衣の装着動作を行うことが可能となる。したがって、使用者の足に負担をかけることなく容易に足部用弾性着衣を装着することが可能となる。さらに、第１の補助具１の案内部１３は、足の脛側に沿って移動させる構成であるので、例えば足の太もも側に沿って移動させる特許文献１のように、痛みが感じやすい脛側の筋肉、例えば前脛骨筋、長指伸筋に負担をかけることはない。
【００４６】
本発明に係る第２の補助具２は、ベース部材の長手軸方向には、膝側開口部およびつま先側開口部を有する案内部を形成する１対または複数対の案内部構成部材が上下方向に回動自在に設けられ、両把持部には前記案内部構成部材を回動させ前記案内部を形成するための開閉レバーが設けられている。そのため、不使用時には折りたたんで保管することが可能であり、足部着衣を補助具に装着する際も、開口している面積が小さいので、例えば高弾性の医療用の靴下等の足部着衣を楽に第２実施形態に係る補助具に装着可能である。さらに、例えば高弾性の医療用の靴下等の足部着衣を装着した第２実施形態に係る補助具を使用者の足に挿入して装着補助を行う際に、両手で把持部と開閉レバーを握る動作により補助具にトンネル状の空間をつくることができそのまま足部着衣を容易に装着することが可能である。また、第１の補助具１と同様に、第２の補助具２は、使用者の足に負担をかけることなく容易に足部用弾性着衣を装着することが可能となる。さらに、第２の補助具２の案内部２３は、足の脛側に沿って移動させる構成であるので、例えば足の太もも側に沿って移動させる特許文献１のように、痛みが感じやすい脛側の筋肉、例えば前脛骨筋、長指伸筋に負担をかけることはない。
【符号の説明】
【００４７】
１    第１の補助具
１０  ベース部材
１１  膝側開口部
１１Ａ、１１Ｂ、１２Ａ、１２Ｂ  端点
１１Ｃ  第１のアーチ部
１２  つま先側開口部
１２Ｃ  第２のアーチ部
１３  案内部
１４Ａ、１４Ｂ  把持部
２  第２の補助具
２０  ベース部材
２１  第１のアーチ部
２２  第２のアーチ部
２３Ａ、２３Ｂ、２３Ｃ、２３Ｄ  案内部構成部材
２４Ａ、２４Ｂ  把持部
２４Ａ’、２４Ｂ’  把持部（開閉レバー）
【図１Ａ】
2014217417.tif 000003
【図１Ｂ】
2014217417.tif 000004
【図１Ｃ】
2014217417.tif 000005
【図２Ａ】
2014217417.tif 000006
【図２Ｂ】
2014217417.tif 000007
【図３】
2014217417.tif 000008
【図４】
2014217417.tif 000009
【図５】
2014217417.tif 000010
【図６】
2014217417.tif 000011
【図７】
2014217417.tif 000012